(57)【要約】【課題】柱の仕口部の構造を同じにして鉄骨梁により床段差を形成する。【解決手段】第１柱の第１仕口部に接合される第１梁部と、前記第１柱と対向して配置された第２柱の前記第１仕口部より高い位置にある第２仕口部に接合される第２梁部と、両端部が前記第１梁部と前記第２梁部に繋がっており、下面を前記第２梁部の下面と面一とするとともに前記第１梁部の下面よりも高くして前記第１梁部との間に段差部を形成し、上面を前記第１梁部の上面と面一とするとともに前記第２梁部の上面よりも低くして前記第２梁部との間に段差部を形成する第３梁部と、を有する鉄骨梁。【選択図】図１
2015121011.tif 000002
【特許請求の範囲】
【請求項１】
第１柱の第１仕口部に接合される第１梁部と、
前記第１柱と対向して配置された第２柱の前記第１仕口部より高い位置にある第２仕口部に接合される第２梁部と、
両端部が前記第１梁部と前記第２梁部に繋がっており、下面を前記第２梁部の下面と面一とするとともに前記第１梁部の下面よりも高くして前記第１梁部との間に段差部を形成し、上面を前記第１梁部の上面と面一とするとともに前記第２梁部の上面よりも低くして前記第２梁部との間に段差部を形成する第３梁部と、
を有する鉄骨梁。
【請求項２】
第１柱の第１仕口部に接合される第１梁部と、
前記第１柱と対向して配置された第２柱の第２仕口部に接合される第２梁部と、
両端部が前記第１梁部と前記第２梁部に繋がっており、下面を前記第１梁部及び前記第２梁部の下面と面一とし、上面を前記第１梁部及び前記第２梁部の上面より低くして前記第１梁部及び前記第２梁部との間に段差部を形成する第３梁部と、
を有する鉄骨梁。
【請求項３】
第１柱の第１仕口部に接合される第１梁部と、
前記第１柱と対向して配置された第２柱の前記第１仕口部より高い位置にある第２仕口部に接合され、上面を前記第２仕口部の上面より低くして前記第２仕口部との間に段差部を形成する第２梁部と、
両端部が前記第１梁部と前記第２梁部に繋がっており、下面を前記第２梁部の下面と面一とするとともに前記第１梁部の下面よりも高くして前記第１梁部との間に段差部を形成し、上面を前記第１梁部及び前記第２梁部の上面と面一とする第３梁部と、
を有する鉄骨梁。
【発明の詳細な説明】
【技術分野】
【０００１】
本発明は、柱間に架設され、支持する床スラブの上面に床段差を形成する鉄骨梁に関する。
【背景技術】
【０００２】
端部にハンチが設けられた鉄骨梁は、所定の抵抗曲げモーメント及び抵抗せん断力を確保しつつ鋼材量を軽減できるので、建物を低コストで建てる技術の１つとして用いられている。例えば、特許文献１には、梁成の小さいＨ形鋼の両端に、梁成の大きいＨ形鋼をそれぞれ繋ぎ合わせて構成した段差付き鉄骨梁が開示されている。
【０００３】
このような鉄骨梁を用いて、建物を構成する床スラブの床面に床段差を形成する場合、一般に、梁成の異なる鉄骨梁を柱の仕口部にそれぞれ接合して、これらの鉄骨梁の上面同士の間に高低差をつくり、これらの鉄骨梁の上に床スラブを形成する。
【０００４】
しかし、例えば、鉄筋コンクリート製の柱に埋設された仕口部としての鋼製の仕口部材に梁成の異なる鉄骨梁をそれぞれ接合する場合、柱との間で確実に力の伝達が行えるように鉄骨梁を接合するためには、仕口部材の構造を複雑にしたり、また、心材等の追加部材を仕口部材に設けたりする必要がある。さらに、床段差の高低差に応じて、仕口部材の構造を異ならせる必要がある。これらによって、柱の仕口部の加工手間が多く掛かり、部材量も多くなってしまう。この問題は、鉄骨造、鉄骨鉄筋コンクリート造、ＣＦＴ（Concrete-Filled Steel Tube：充填形鋼管コンクリート構造）造等の他構造の柱の場合においても同様に起こり得る。
【先行技術文献】
【特許文献】
【０００５】
【特許文献１】特開２０１１−５２４６２号公報
【発明の概要】
【発明が解決しようとする課題】
【０００６】
本発明は係る事実を考慮し、柱の仕口部の構造を同じにして鉄骨梁により床段差を形成することを課題とする。
【課題を解決するための手段】
【０００７】
第１態様の発明は、第１柱の第１仕口部に接合される第１梁部と、前記第１柱と対向して配置された第２柱の前記第１仕口部より高い位置にある第２仕口部に接合される第２梁部と、両端部が前記第１梁部と前記第２梁部に繋がっており、下面を前記第２梁部の下面と面一とするとともに前記第１梁部の下面よりも高くして前記第１梁部との間に段差部を形成し、上面を前記第１梁部の上面と面一とするとともに前記第２梁部の上面よりも低くして前記第２梁部との間に段差部を形成する第３梁部と、を有する鉄骨梁である。
【０００８】
第１態様の発明では、第３梁部の上面と第２梁部の上面との間に高低差をつくって第３梁部と第２梁部との間に段差部を形成することにより、第３梁部上に形成される床スラブの床面と第２梁部上に形成される床スラブの床面との間に高低差をつくって床段差を形成することができる。これにより、柱の仕口部の構造を同じにして鉄骨梁により床段差を形成することができる。また、鉄骨梁の両端部にハンチを設けることにより、鉄骨梁両端部の抵抗曲げモーメント及び抵抗せん断力を高くすることができる。
【０００９】
第２態様の発明は、第１柱の第１仕口部に接合される第１梁部と、前記第１柱と対向して配置された第２柱の第２仕口部に接合される第２梁部と、両端部が前記第１梁部と前記第２梁部に繋がっており、下面を前記第１梁部及び前記第２梁部の下面と面一とし、上面を前記第１梁部及び前記第２梁部の上面より低くして前記第１梁部及び前記第２梁部との間に段差部を形成する第３梁部と、を有する鉄骨梁である。
【００１０】
第２態様の発明では、第３梁部の上面と第１及び第２梁部の上面との間に高低差をつくって第３梁部と第１梁部及び第２梁部との間に段差部を形成することにより、第３梁部上に形成される床スラブの床面と、第１及び第２梁部上に形成される床スラブの床面の間に高低差をつくって床段差を形成することができる。これにより、柱の仕口部の構造を同じにして鉄骨梁により床段差を形成することができる。また、鉄骨梁の両端部にハンチを設けることにより、鉄骨梁両端部の抵抗曲げモーメント及び抵抗せん断力を高くすることができる。
【００１１】
第３態様の発明は、第１柱の第１仕口部に接合される第１梁部と、前記第１柱と対向して配置された第２柱の前記第１仕口部より高い位置にある第２仕口部に接合され、上面を前記第２仕口部の上面より低くして前記第２仕口部との間に段差部を形成する第２梁部と、両端部が前記第１梁部と前記第２梁部に繋がっており、下面を前記第２梁部の下面と面一とするとともに前記第１梁部の下面よりも高くして前記第１梁部との間に段差部を形成し、上面を前記第１梁部及び前記第２梁部の上面と面一とする第３梁部と、を有する鉄骨梁である。
【００１２】
第３態様の発明では、第２仕口部の上面と第２梁部の上面との間に高低差をつくって第２仕口部と第２梁部との間に段差部を形成することにより、第２梁部上に形成される床スラブの床面と第２柱付近に形成される床スラブの床面との間に高低差をつくって床段差を形成することができる。これにより、柱の仕口部の構造を同じにして鉄骨梁により床段差を形成することができる。また、第２柱近くに床段差を形成することができる。
【発明の効果】
【００１３】
本発明は上記構成としたので、柱の仕口部の構造を同じにして鉄骨梁により床段差を形成することができる。
【図面の簡単な説明】
【００１４】
【図１】本発明の第１実施形態に係る鉄骨梁を示す正面図である。
【図２】本発明の第１実施形態に係る補強プレートを示す斜視図である。
【図３】本発明の第１実施形態に係る鉄骨梁のバリエーションを示す正面図である。
【図４】本発明の第２実施形態に係る鉄骨梁を示す正面図である。
【図５】本発明の第２実施形態に係る鉄骨梁のバリエーションを示す正面図である。
【発明を実施するための形態】
【００１５】
図を参照しながら本発明の実施形態を説明する。まず、本発明の第１実施形態に係る鉄骨梁について説明する。
【００１６】
図１の正面図には、第１柱としての鉄筋コンクリート製の柱１２と、この柱１２に対向して配置された第２柱としての鉄筋コンクリート製の柱１４の間に架設されている鉄骨梁１０が示されている。柱１２の第１仕口部としての仕口部１６は、柱１２中に埋設された仕口部材１８を有して構成され、柱１４の第２仕口部としての仕口部２０は、柱１４中に埋設された仕口部材２２を有して構成されている。また、仕口部２０は、仕口部１６よりも高い位置にある。
【００１７】
仕口部材１８と仕口部材２２は、同じ部材である。すなわち、仕口部１６と仕口部２０は、同じ構造になっている。仕口部材１８、２２は、Ｈ形鋼を平面視にて四方へ張り出すように直交させて一体化した部材であり、端部に、Ｈ形鋼からなりこの端部と同じ梁成の梁端部材２４、２６がそれぞれ接合されている。仕口部材１８、２２と梁端部材２４、２６は、下フランジ、ウェブ、及び上フランジ同士を溶接で接合することによって剛接合されている。なお、仕口部材１８の端部と梁端部材２４が同じ梁成であり、仕口部材２２の端部と梁端部材２６が同じ梁成であれば、仕口部材１８と仕口部材２２は、同じ部材でなくてもよい。
【００１８】
鉄骨梁１０は、第１梁部２８、第２梁部３０、及び第３梁部３２を有して構成されている。第１梁部２８は、梁端部材２４と、Ｈ形鋼からなり梁端部材２４と同じ梁成の梁端部材３４とを有して構成されている。梁端部材２４と梁端部材３４は、梁端部材２４の下フランジ、ウェブ、及び上フランジと、梁端部材３４の下フランジ、ウェブ、及び上フランジに、スプライスプレート３６、３８をボルト接合し、梁端部材２４の下フランジ、ウェブ、及び上フランジと、梁端部材３４の下フランジ、ウェブ、及び上フランジを、スプライスプレート３６、３８を介して接合することにより、一体に繋がっている。なお、梁端部材２４と梁端部材３４は、スプライスプレート以外の方法で接合してもよい。例えば、梁端部材２４と梁端部材３４を溶接によって接合してもよい。
【００１９】
第２梁部３０は、梁端部材２６と、Ｈ形鋼からなり梁端部材２６と同じ梁成の梁端部材４０とを有して構成されている。梁端部材２６と梁端部材４０は、梁端部材２６の下フランジ、ウェブ、及び上フランジと、梁端部材４０の下フランジ、ウェブ、及び上フランジに、スプライスプレート３６、３８をボルト接合し、梁端部材２６の下フランジ、ウェブ、及び上フランジと、梁端部材４０の下フランジ、ウェブ、及び上フランジを、スプライスプレート３６、３８を介して接合することにより、一体に繋がっている。なお、梁端部材２６と梁端部材４０は、スプライスプレート以外の方法で接合してもよい。例えば、梁端部材２６と梁端部材４０を溶接によって接合してもよい。
【００２０】
第３梁部３２は、Ｈ形鋼からなる梁中央部材４２を有して構成されている。梁中央部材４２及び梁端部材３４、４０は、梁中央部材４２の両端部に、梁部材３４、４０を溶接によりそれぞれ接合して一体に繋げた梁部材４４を構成している。梁中央部材４２の柱１２側の端部は、上フランジ及びウェブ同士を溶接により接合して梁端部材３４の端部に一体に繋げられ、梁中央部材４２の柱１４側の端部は、下フランジ及びウェブ同士を溶接により接合して梁端部材４０の端部に一体に繋げられている。
【００２１】
すなわち、鉄骨梁１０は、柱１２の仕口部１６に接合される第１梁部２８と、柱１４の仕口部２０に接合される第２梁部３０と、両端部が第１梁部２８と第２梁部３０にそれぞれ繋がっている第３梁部３２とを有して構成されている。
【００２２】
第１梁部２８と第２梁部３０の梁成は等しく、第３梁部３２の梁成よりも第１梁部２８及び第２梁部３０の梁成が大きくなっている。また、第２梁部３０の下面と第３梁部３２の下面とは面一になっており、さらに、第３梁部３２の下面は第１梁部２８の下面よりも高くなっている。これによって、第１梁部２８と第３梁部３２の間に段差部４６が形成されている。また、第１梁部２８の上面と第３梁部３２の上面とは面一になっており、さらに、第３梁部３２の上面は第２梁部３０の上面よりも低くなっている。これによって、第２梁部３０と第３梁部３２の間に段差部４８が形成されている。なお、第１梁部２８と第２梁部３０の梁成は等しくなくてもよい。
【００２３】
梁端部材３４、４０には、鋼製の補強プレート５０、５２がそれぞれ設けられている。図１、及び図２の斜視図に示すように、補強プレート５０は、梁中央部材４２の下フランジ５４の延長線上に配置され、後端部が梁中央部材４２の下フランジ５４の柱１２側の端部に溶接により接合され、側端部が梁端部材３４のウェブに溶接により接合されている。補強プレート５２は、梁中央部材４２の上フランジ５６の延長線上に配置され、後端部が梁中央部材４２の上フランジ５６の柱１４側の端部に溶接により接合され、側端部が梁端部材４０のウェブに溶接により接合されている。補強プレート５０は、梁中央部材４２の下フランジ５４の軸力を梁端部材３４のウェブのせん断力で第１梁部２８へ伝達し、補強プレート５２は、梁中央部材４２の上フランジ５６の軸力を梁端部材４０のウェブのせん断力で第２梁部３０へ伝達するために設けられている。なお、補強プレート５０、５２は、下フランジ５４や上フランジ５６の端部に接合して設けずに、下フランジ５４や上フランジ５６を梁中央部材４２の端面（ウェブの端面）から突出させて形成しておき、この突出した部分を補強プレート５０、５２にしてもよい。
【００２４】
鉄骨梁１０の上には、鉄筋コンクリート製の床スラブ５８がコンクリート打設によって形成されている。すなわち、鉄骨梁１０は、第１梁部２８、第３梁部３２、及び第２梁部３０の上面に載置されるようにして、これらの上面に渡って床スラブ５８が設けられている床梁である。第１梁部２８、第３梁部３２、及び第２梁部３０上に形成される床スラブ５８の厚さは略等しくなっており、第２梁部３０と第３梁部３２の間に段差部４８が形成されることにより、第３梁部３２上に形成される床スラブ５８の床面と第２梁部３０上に形成される床スラブ５８の床面との間に高低差がつくられて床段差６０が形成されている。
【００２５】
次に、本発明の第１実施形態に係る鉄骨梁の作用と効果について説明する。
【００２６】
本発明の第１実施形態に係る鉄骨梁１０では、図１に示すように、第３梁部３２及び第２梁部３０上に形成される床スラブ５８の厚さを略等しくし、第３梁部３２の上面と第２梁部３０の上面との間に高低差をつくって第３梁部３２と第２梁部３０との間に段差部４８を形成することにより、第３梁部３２上に形成される床スラブ５８の床面と第２梁部３０上に形成される床スラブ５８の床面との間に高低差をつくって床段差６０を形成することができる。
【００２７】
よって、柱１２、１４の仕口部１６、２０の構造を同じにして鉄骨梁１０により床段差６０を形成することができる。すなわち、柱の仕口部の共通化（標準化）を図ることができる。また、異なった梁成の鉄骨梁を仕口部材に接合して仕口部内で鉄骨梁の上面同士の間に高低差を形成するものではないので、仕口部材の構造が複雑になったり、仕口部材を構成する部材量が増えたりするのを抑えることができる。これらにより、床段差を形成するための施工コストを低減することができる。
【００２８】
また、本発明の第１実施形態に係る鉄骨梁１０では、鉄骨梁１０の両端部がハンチを構成するので、鉄骨梁１０の両端部の抵抗曲げモーメント及び抵抗せん断力を高くすることができる。
【００２９】
以上、本発明の第１の実施形態について説明した。
【００３０】
本発明の第１実施形態では、鉄骨梁１０の一方端部側に床段差６０を形成した例を示したが、図３の正面図に示す鉄骨梁６８のように、鉄骨梁１０の一方端部側と他方端部側の両方に床段差６０、６２を形成してもよい。図３では、第３梁部３２の両端部が第１梁部６４と第２梁部３０に繋がっており、第１梁部６４と第２梁部３０の梁成は等しく、第３梁部３２の梁成よりも第１梁部６４及び第２梁部３０の梁成が大きくなっている。そして、第３梁部３２の下面を第１梁部６４及び第２梁部３０の下面と面一とし、第３梁部３２の上面を第１梁部６４及び第２梁部３０の上面より低くすることにより、第３梁部３２の上面と第１梁部６４及び第２梁部３０の上面との間に高低差をつくって第１梁部６４と第３梁部３２の間に段差部６６を形成し、第２梁部３０と第３梁部３２の間に段差部４８を形成している。なお、第１梁部６４と第２梁部３０の梁成は等しくなくてもよい。
【００３１】
鉄骨梁６８の上には、鉄筋コンクリート製の床スラブ５８がコンクリート打設によって形成されている。すなわち、鉄骨梁６８は、第１梁部６４、第３梁部３２、及び第２梁部３０の上面に載置されるようにして、これらの上面に渡って床スラブ５８が設けられている床梁である。第１梁部６４、第３梁部３２、及び第２梁部３０上に形成される床スラブ５８の厚さは略等しくなっている。
【００３２】
これにより、第３梁部３２上に形成される床スラブ５８の床面と、第１梁部６４及び第２梁部３０上に形成される床スラブ５８の床面の間に高低差をつくって床段差６２、６０を形成している。
【００３３】
また、本発明の第１実施形態では、第１梁部２８、第３梁部３２、及び第２梁部３０上に形成される床スラブ５８の厚さを略等しくした例を示したが、必要とする高低差の床段差を形成することができれば、第１梁部、第３梁部、及び第２梁部上に形成される床スラブ５８の厚さを異ならせても良い。例えば、図１においては、第３梁部３２上に形成される床スラブ５８の床面と第２梁部３０上に形成される床スラブ５８の床面との間に必要とする高低差の床段差を形成できれば、第３梁部３２上に形成される床スラブ５８の厚さと、第２梁部３０上に形成される床スラブ５８の厚さを異ならせてもよい。また、例えば、図３においては、第３梁部３２上に形成される床スラブ５８の床面と第１梁部６４上に形成される床スラブ５８の床面との間に必要とする高低差の床段差を形成でき、第３梁部３２上に形成される床スラブ５８の床面と第２梁部３０上に形成される床スラブ５８の床面との間に必要とする高低差の床段差を形成できれば、第１梁部６４、第３梁部３２、及び第２梁部３０上に形成される床スラブ５８の厚さを異ならせても良い。
【００３４】
次に、本発明の第２実施形態について説明する。本発明の第２実施形態の説明において、第１実施形態と同じ構成のものは、同符号を付すると共に、適宜省略して説明する。
【００３５】
まず、本発明の第２実施形態に係る鉄骨梁について説明する。図４の正面図に示すように、第２実施形態の鉄骨梁７０では、仕口部材２２の端部の梁成よりも梁成が小さいＨ形鋼からなる梁端部材７２が、仕口部材２２の端部に接合されている。仕口部材２２と梁端部材７２は、下フランジ及びウェブ同士を溶接で接合することによって剛接合されている。
【００３６】
さらに、仕口部材２２のウェブには、補強プレート７４が設けられている。補強プレート７４は、梁端部材７２の上フランジ７６の延長線上に配置され、後端部が上フランジ７６の柱１４側の端部に溶接により接合され、側端部が仕口部材２２のウェブに溶接により接合されている。補強プレート７４は、梁端部材７２の上フランジ７６の軸力を仕口部材２２のウェブのせん断力で仕口部材２２へ伝達するために設けられている。なお、補強プレート７４は、上フランジ７６の端部に接合して設けずに、上フランジ７６を梁端部材７２の端面（ウェブの端面）から突出させて形成しておき、この突出した部分を補強プレート７４にしてもよい。
【００３７】
鉄骨梁７０は、第１梁部２８、第２梁部７８、及び第３梁部３２を有して構成されている。第２梁部７８は、梁中央部材４２と同じ梁成の梁端部材７２を有して構成されている。梁端部材７２と梁中央部材４２は、梁端部材７２の下フランジ、ウェブ、及び上フランジと、梁中央部材４２の下フランジ、ウェブ、及び上フランジに、スプライスプレート３６、３８をボルト接合し、梁端部材７２の下フランジ、ウェブ、及び上フランジと、梁中央部材４２の下フランジ、ウェブ、及び上フランジを、スプライスプレート３６、３８を介して接合することにより、一体に繋がっている。なお、梁端部材７２と梁中央部材４２は、スプライスプレート以外の方法で接合してもよい。例えば、梁端部材７２と梁中央部材４２を溶接によって接合してもよい。
【００３８】
梁中央部材４２及び梁端部材３４は、梁中央部材４２の一方端部に、梁端部材３４を溶接により接合して一体に繋げた梁部材８０を構成している。
【００３９】
すなわち、鉄骨梁７０は、柱１２の仕口部１６に接合される第１梁部２８と、柱１４の仕口部２０に接合される第２梁部７８と、両端部が第１梁部２８と第２梁部７８にそれぞれ繋がっている第３梁部３２とを有して構成されている。
【００４０】
第２梁部７８と第３梁部３２の梁成は等しく、第３梁部３２の梁成よりも第１梁部２８の梁成が大きくなっている。また、第３梁部３２の下面と第２梁部７８の下面とは面一になっており、さらに、第３梁部３２の下面は第１梁部２８の下面よりも高くなっている。これによって、第１梁部２８と第３梁部３２の間に段差部４６を形成している。
【００４１】
また、第３梁部３２の上面は、第１梁部２８及び第２梁部７８の上面と面一になっており、第２梁部７８の上面は、仕口部２０（仕口部材２２）の上面より低くなっている。これによって、仕口部２０と第２梁部７８の間に段差部８２が形成されている。
【００４２】
仕口部材２２から平面視にて鉄骨梁７０の梁長方向９４に対して直交する２方向へ張り出して設けられた鉄骨梁（不図示、以下「鉄骨梁９６、９８」とする）と、仕口部材２２から平面視にて鉄骨梁７０と逆側に張り出して設けられた鉄骨梁１００の上には、床スラブ５９がコンクリート打設によって形成されている。また、鉄骨梁７０の上には床スラブ５８がコンクリート打設によって形成されている。すなわち、鉄骨梁７０は、第１梁部２８、第３梁部３２、及び第２梁部７８の上面に載置されるようにして、これらの上面に渡って床スラブ５８が設けられている床梁であり、鉄骨梁９６、９８、１００は、これらの上面に載置されるようにして、これらの上面に渡って床スラブ５９が設けられている床梁である。鉄骨梁７０（第１梁部２８、第３梁部３２、及び第２梁部７８）、及び鉄骨梁９６、９８、１００上に形成される床スラブ５８、５９の厚さは略等しくなっている。
【００４３】
鉄骨梁９６、９８、１００の上面と仕口部材２２の上面は面一になっているので、仕口部２０と第２梁部７８の間に段差部８２が形成されることにより、柱１４付近の鉄骨梁９６、９８、１００上に形成される床スラブ５９の床面と第２梁部７８上に形成される床スラブ５８の床面との間に高低差がつくられて床段差８４が形成されている。
【００４４】
次に、本発明の第２実施形態に係る鉄骨梁の作用と効果について説明する。
【００４５】
本発明の第２実施形態に係る鉄骨梁７０では、図４に示すように、鉄骨梁７０（第１梁部２８、第３梁部３２、及び第２梁部７８）、及び鉄骨梁９６、９８、１００上に形成される床スラブ５８、５９の厚さを略等しくし、仕口部２０（仕口部材２２）の上面と第２梁部７８の上面との間に高低差をつくって仕口部２０と第２梁部７８の間に段差部８２を形成することにより、柱１４付近の鉄骨梁９６、９８、１００上に形成される床スラブ５９の床面と、第２梁部７８上に形成される床スラブ５８の床面との間に高低差をつくって床段差８４を形成することができる。
【００４６】
よって、柱１２、１４の仕口部１６、２０の構造を同じにして鉄骨梁７０により床段差８４を形成することができる。また、柱１４近くに床段差８４を形成することができる。
【００４７】
以上、本発明の第２実施形態について説明した。
【００４８】
本発明の第２実施形態では、第２梁部７８を仕口部材２２に剛接合した例を示したが、図５の正面図に示す鉄骨梁８６のように、仕口部材２２のウェブに設けられたガセットプレート８８にハイテンションボルト９０等によって第２梁部７８のウェブを接合し、第２梁部７８の上フランジ及び下フランジと仕口部材２２を接合しないようにしてもよい。
【００４９】
鉄骨梁８６においては、第２梁部７８に第３梁部３２が一体に設けられており、梁端部材３４、第３梁部３２、及び第２梁部７８は、これらを一体に繋げた梁部材９２を構成している。
【００５０】
鉄骨梁８６では、ガセットプレート８８を用いて仕口部材２２に第２梁部７８のウェブを接合することにより、柱１４に対する第２梁部７８の接合位置（接合高さ）の調整を行うことができ、また、第２梁部７８と仕口部材２２の上フランジ及び下フランジとの間で軸力の伝達が行われないので、第２梁部７８の構造断面（梁成）を小さくすることができる。
【００５１】
また、本発明の第２実施形態では、鉄骨梁７０（第１梁部２８、第３梁部３２、及び第２梁部７８）、及び鉄骨梁９６、９８、１００上に形成される床スラブ５８、５９の厚さを略等しくした例を示したが、柱１４付近の鉄骨梁９６、９８、１００上に形成される床スラブ５９の床面と第２梁部７８上に形成される床スラブ５８の床面との間に必要とする高低差がつくられて床段差を形成することができれば、鉄骨梁７０（第１梁部２８、第３梁部３２、及び第２梁部７８）、及び鉄骨梁９６、９８、１００上に形成される床スラブ５８、５９の厚さを異ならせても良い。
【００５２】
以上、本発明の第１及び第２実施形態について説明した。
【００５３】
本発明の第１及び第２実施形態では、第１及び第２柱を鉄筋コンクリート製の柱１２、１４とした例を示したが、第１及び第２柱は、鉄骨鉄筋コンクリート製、鉄骨製、ＣＦＴ（Concrete-Filled Steel Tube：充填形鋼管コンクリート構造）製等の他構造の柱であってもよい。
【００５４】
また、本発明の第１及び第２実施形態で示した鉄骨梁１０、６８、７０、８６は、鉄骨梁１０、６８、７０、８６の端部に段差部４８、６６、８２を形成することによって床段差６０、６２、８４を形成するといった特別な技術的特徴を有するものであり、検査機器の設置や配線等の為に床段差が多く存在する病院等の建物に特に有効に用いることができる。また、鉄骨梁１０、６８、７０、８６は、鋼材量を軽減することにより低コスト化を図ることができる、端部にハンチが設けられた鉄骨梁であり、さらに、床段差を形成する施工コストを低減できるものなので、低コストでの建物建設に貢献できる技術である。
【００５５】
以上、本発明の第１及び第２実施形態について説明したが、本発明はこうした実施形態に何等限定されるものでなく、第１及び第２実施形態を組み合わせて用いてもよいし、本発明の要旨を逸脱しない範囲において、種々なる態様で実施し得ることは勿論である。
【符号の説明】
【００５６】
１０、６８、７０、８６  鉄骨梁
１２  柱（第１柱）
１４  柱（第２柱）
１６  仕口部（第１仕口部）
２０  仕口部（第２仕口部）
２８、６４  第１梁部
３０、７８  第２梁部
３２  第３梁部
４８、６６、８２  段差部
【図１】
2015121011.tif 000003
【図２】
2015121011.tif 000004
【図３】
2015121011.tif 000005
【図４】
2015121011.tif 000006
【図５】
2015121011.tif 000007